(57)【特許請求の範囲】
【請求項１】
弾性力のある変形可能な適宜長さの２枚の薄板帯状の素材プレートから形成され、該素材プレートの一方端を台形状にカットして嘴状部を形成し、前記素材プレートの他方端は端部と平行する第１折り目を形成して所定長さの端部折曲片を形成し、さらに前記第１折り目から前記端部折曲片より長く前記第１折り目と平行する第２折り目を形成して挟持面部を形成し、前記素材プレートを左右対称に重ね合わせ、前記嘴状部の底辺となる位置で鳩目等の固定部品で両素材プレートを一体に固定し、前記各素材プレートの前記端部折曲片及び挟持面部を前記第１折り目及び前記第２折り目に沿ってそれぞれ内側に折り曲げすることによって、折り曲げられた挟持面部同士が内奥で一線状に当接し、かつ前記端部折曲片はそれぞれの素材プレートの内面に面状に当接して安定する断面形状が略ハート形を呈することを特徴とする多機能クリップ。
【請求項２】
弾性力のある変形可能な適宜長さの２枚の薄板帯状の素材プレートから形成され、両素材プレートの両端に平行する第１折り目を形成して所定長さの端部折曲片を形成し、さらに前記第１折り目から前記端部折曲片より長く前記第１折り目と平行する第２折り目を形成して挟持面部を形成し、前記素材プレートを左右対称に重ね合わせ、中央となる位置で鳩目等の固定部品で両素材プレートを一体に固定し、前記各素材プレートの前記端部折曲片及び挟持面部を前記第１折り目及び前記第２折り目に沿ってそれぞれ内側に折り曲げすることによって、上下方向の２面に断面形状が略ハート形を呈することを特徴とする多機能クリップ。
【請求項３】
弾性力のある変形可能な適宜長さの２枚の薄板帯状の素材プレートから形成され、該素材プレートの両端に平行する第１折り目を形成して所定長さの端部折曲片を形成し、さらに前記第１折り目から前記端部折曲片より長く前記第１折り目と平行する第２折り目を形成して挟持面部を形成し、前記素材プレートを左右対称に重ね合わせ、上下部に間隔を空けて２個の鳩目等の固定部品で両素材プレートを一体に固定して中央に挟み部を備え、前記各素材プレートの前記端部折曲片及び挟持面部を前記第１折り目及び前記第２折り目に沿ってそれぞれ内側に折り曲げすることによって、上下方向の２面に断面形状が略ハート形を呈することを特徴とする多機能クリップ。
【請求項４】
弾性力のある変形可能な適宜長さの１枚の薄板帯状の素材プレートから形成され、該素材プレートの中央部から２つに折り曲げ、両素材プレートの両端に平行する第１折り目を形成して所定長さの端部折曲片を形成し、さらに前記第１折り目から前記端部折曲片より長く前記第１折り目と平行する第２折り目を形成して挟持面部を形成すると共に、中央となる位置で鳩目等の固定部品で両素材プレートを一体に固定して上方に挿入部を形成し、前記各素材プレートの前記端部折曲片及び挟持面部を前記第１折り目及び前記第２折り目に沿ってそれぞれ内側に折り曲げすることによって略ハート形を呈し、さらに前記素材プレートの第２折り目に沿って端部から中心に所定幅で切断し、該切断幅に平行に第２折り目に向って切断して細幅帯状の挟持片を形成し、該挟持片を中央で反対側の素材プレート側に直角に折り曲げ、同様に反対側の素材プレートにも対称的に細幅帯状の挟持片を切断形成し、同様に前記挟持片の中央で反対側の素材プレート側に直角に折り曲げたことを特徴とする多機能クリップ。
【発明の詳細な説明】
【技術分野】
【０００１】
本発明は、カード類、書類、封筒、写真、履き物等の多種多様な物品を挟み止めするための弾性力のある素材、すなわち合成樹脂、竹材、金属材等で作られた多機能クリップに関する。
【背景技術】
【０００２】
従来、クリップは、目玉クリップ、ピンチと称されるものが広く使用されているが、不使用時にはスプリングの力で閉じた状態にあり、使用時に紙等を挟むために強い力で開く必要があり、瞬時に使いにくい欠点と紙等を連続して挿し込み挟むことが出来ない欠点がある。
そこで、力を掛けずに片手で簡単に被挟持物品を挟み込むことができ、カード類、写真、履き物等の多種多様な物品に手軽に利用できるクリップが開発されている（特許文献１を参照）。
このクリップは、挟持部が一対の弾力性に富む薄板状の樹脂製挟持片から成り、一対の挟持片の基端側を一体的に形成すると共に先端側においてそれぞれを内方向へ円弧状に湾曲形成し、当該湾曲部分で互いを押圧する状態に当接させ、挟持片自体の弾力によって当接位置で適度な挟持力を有する如く設け、被挟持物品の着脱を容易ならしむ略ハート形状の挟持部を形成したものである。
【特許文献１】特開平１１−９１２７６号公報
【発明の開示】
【発明が解決しようとする課題】
【０００３】
本発明は、上記公知技術を改良し、クリップの挟持力を増強すると共にカード類、書類、封筒、写真、履き物等の多種多様な物品を挟み止めする、多くの用途に使用することができる多機能クリップを得ることを目的とする。
【課題を解決するための手段】
【０００４】
本発明の多機能クリップは、弾性力のある変形可能な適宜長さの２枚の薄板帯状の素材プレートから形成され、該素材プレートの一方端を台形状にカットして嘴状部を形成し、前記素材プレートの他方端は端部と平行する第１折り目を形成して所定長さの端部折曲片を形成し、さらに前記第１折り目から前記端部折曲片より長く前記第１折り目と平行する第２折り目を形成して挟持面部を形成し、前記素材プレートを左右対称に重ね合わせ、前記嘴状部の底辺となる位置で鳩目等の固定部品で両素材プレートを一体に固定し、前記各素材プレートの前記端部折曲片及び挟持面部を前記第１折り目及び前記第２折り目に沿ってそれぞれ内側に折り曲げすることによって、折り曲げられた挟持面部同士が内奥で一線状に当接し、かつ前記端部折曲片はそれぞれの素材プレートの内面に面状に当接して安定する断面形状が略ハート形を呈するものである。
【０００５】
本発明の多機能クリップは、弾性力のある変形可能な適宜長さの２枚の薄板帯状の素材プレートから形成され、両素材プレートの両端に平行する第１折り目を形成して所定長さの端部折曲片を形成し、さらに前記第１折り目から前記端部折曲片より長く前記第１折り目と平行する第２折り目を形成して挟持面部を形成し、前記素材プレートを左右対称に重ね合わせ、中央となる位置で鳩目等の固定部品で両素材プレートを一体に固定し、前記各素材プレートの前記端部折曲片及び挟持面部を前記第１折り目及び前記第２折り目に沿ってそれぞれ内側に折り曲げすることによって、上下方向の２面に断面形状が略ハート形を呈するものである。
【０００６】
本発明の多機能クリップは、弾性力のある変形可能な適宜長さの２枚の薄板帯状の素材プレートから形成され、該素材プレートの両端に平行する第１折り目を形成して所定長さの端部折曲片を形成し、さらに前記第１折り目から前記端部折曲片より長く前記第１折り目と平行する第２折り目を形成して挟持面部を形成し、前記素材プレートを左右対称に重ね合わせ、上下部に間隔を空けて２個の鳩目等の固定部品で両素材プレートを一体に固定して中央に挟み部を備え、前記各素材プレートの前記端部折曲片及び挟持面部を前記第１折り目及び前記第２折り目に沿ってそれぞれ内側に折り曲げすることによって、上下方向の２面に断面形状が略ハート形を呈するものである。
【０００７】
本発明の多機能クリップは、弾性力のある変形可能な適宜長さの１枚の薄板帯状の素材プレートから形成され、該素材プレートの中央部から２つに折り曲げ、両素材プレートの両端に平行する第１折り目を形成して所定長さの端部折曲片を形成し、さらに前記第１折り目から前記端部折曲片より長く前記第１折り目と平行する第２折り目を形成して挟持面部を形成すると共に、中央となる位置で鳩目等の固定部品で両素材プレートを一体に固定して上方に挿入部を形成し、前記各素材プレートの前記端部折曲片及び挟持面部を前記第１折り目及び前記第２折り目に沿ってそれぞれ内側に折り曲げすることによって略ハート形を呈し、さらに前記素材プレートの第２折り目に沿って端部から中心に所定幅で切断し、該切断幅に平行に第２折り目に向って切断して細幅帯状の挟持片を形成し、該挟持片を中央で反対側の素材プレート側に直角に折り曲げ、同様に反対側の素材プレートにも対称的に細幅帯状の挟持片を切断形成し、同様に前記挟持片の中央で反対側の素材プレート側に直角に折り曲げたものである。
【発明の効果】
【０００８】
本発明は、素材自体の弾性力、摩擦力を利用したクリップであり、開く必要がなく紙を連続挿し込み及び引き抜きが楽に行え、形、大きさを自由自在に加工でき、低コストで実施可能で挟持力の強い多機能クリップである。
本発明の多機能クリップは、反発力を利用し簡易にしっかりと紙を挟むことができ、連続して紙を挿し込んでも予め挿し込んだ紙が落ちない上、紙を引っ張り出す場合も容易に取り出せ、低コストで実施可能である。
本発明の多機能クリップは、上下、両面と多機能を有し、壁などの構造物にピン等の方法で簡単に取り付けを行うことができ、カード類、書類、封筒、写真、履き物等の多種多様な物品を挟み止めする、多くの用途で使用することができる。
【発明を実施するための最良の形態】
【０００９】
本発明の多機能クリップの第１の実施形態を図面に基づいて、以下に説明する。
図１の斜視図に示すように、第１の実施形態の多機能クリップは、弾性力のある変形可能な適宜長さの２枚の薄板帯状の素材プレート１から形成され、該素材プレート１の一方端を台形状にカットして嘴状部２を形成し、図２の側面図に示すように前記素材プレート１の他方端は所定長さの他方端と平行する第１折り目３を形成して端部折曲片４を形成し、さらに前記第１折り目３から前記端部折曲片４より長く前記第１折り目３と平行する第２折り目５を形成して挟持面部６を形成する。
なお、図３の正面図に示すように前記嘴状部２には、貫通する所定大きさの穴孔７を形成する。
【００１０】
そして、図４の平面図に示すように前記素材プレート１を左右対称に重ね合わせ、図３に示すように前記嘴状部２の底辺となる位置で鳩目８等の固定部品で両素材プレート１を一体に固定し、図２に示すように前記各素材プレート１の前記端部折曲片４及び挟持面部６を前記第１折り目３及び前記第２折り目５に沿ってそれぞれ内側に折り曲げする。
こうすることによって、折り曲げられた挟持面部６同士が内奥で一線状Ａに当接し、かつ前記端部折曲片４はそれぞれの素材プレート１の内面に面状Ｂに当接して安定する。
このように素材プレート１を２回折り曲げ、左右対称に重ね合わせ対向するように配置することにより、前記端部折曲片４及び挟持面部６は弓形に屈曲し弾性力の作用と素材プレート１の反発力により釣り合いを保ち、前記挟持面部６の上部には三角形の空間を生み、素材プレート１両面の接合点Ｃを支持部とし、鳩目８等の固定部品で固定することによりクリップと成る。
すなわち、素材プレート１を内側に２回折り曲げることにより断面形状が略ハート形を呈し、挟持面部６の上方を鳩目８等の固定部品によって固定されていることで一体の多機能クリップと成る。
【００１１】
前記素材プレート１は、弾性力のある素材、例えばポリプロピレン等の合成樹脂、竹材、ステンレス板や銅板等の金属材が使用可能であり、用途により素材は選択されるが、ポリプロピレン等の合成樹脂が容易に加工でき、低コストで実施可能な素材である。
なお、図３で示す前記素材プレート１の鳩目８下部の形状を円形となるように形成すれば、例えばてんとう虫のような意匠的効果を持つ多機能クリップになる。
前記素材プレート１の接合点Ｃの支持部、すなわち鳩目８は、嘴状部２の底辺となる位置であって三角形空間の頂点に位置し、この支持部は正三角形の頂点に位置することが最良である。
支持部の固定部品は、鳩目８に限らず、リングスナップ、スナップ釦、針金や黒軟鉄入りのラッピングタイ等で固着したり、又は接着するものである。
【００１２】
次に、第１の実施形態の多機能クリップの使用の仕方を図面に基づいて、以下に説明する。
まず、紙を綴じるためには、図１に示す挟持面部６同士の間から内奥の当接している一線状Ａ部に向け紙を挿し込むことにより、一線状Ａ部は挟持面部６の弾性力と素材プレート１の内面の面状Ｂ部に接している端部折曲片４の反発力の釣り合いにより挟持力を発揮させているので、紙を強力に挟持する。
上部の２枚の素材プレート１により形成された嘴状部２は、鳩目８等の固定部品で固定した場合、両面が摺動回転可能となり新たな挟持力を持ち、告知プレート、名前プレート、メッセージカード等を挟む機能がある。
また、前記嘴状部２に設けた穴孔７により、ピン、釘等の色々な方法で壁等に多機能クリップを固定可能となり、吊下げ使用を行うことが出来る。
【００１３】
本発明の多機能クリップの第２の実施形態を図面に基づいて、以下に説明する。
図５の斜視図に示すように、第２の実施形態の多機能クリップは、弾性力のある変形可能な適宜長さの２枚の薄板帯状の素材プレート１から形成され、図６の側面図に示すように両素材プレート１の両端に平行する第１折り目３を形成して所定長さの端部折曲片４を形成し、さらに前記第１折り目３から前記端部折曲片４より長く前記第１折り目３と平行する第２折り目５を形成して挟持面部６を形成する。
そして、図８の平面図に示すように前記素材プレート１を左右対称に重ね合わせ、図７の正面図に示すように中央となる位置で鳩目８等の固定部品で両素材プレート１を一体に固定し、図６に示すように前記各素材プレート１の前記端部折曲片４及び挟持面部６を前記第１折り目３及び前記第２折り目５に沿ってそれぞれ内側に折り曲げする。
こうすることによって、折り曲げられた挟持面部６同士が内奥で一線状Ａに当接し、かつ前記端部折曲片４はそれぞれの素材プレート１の内面に面状Ｂに当接して安定し、上下方向の２面に前記挟持面部６を有するクリップと成る。
すなわち、素材プレート１を内側に２回折り曲げることにより上下方向の２面に断面形状が略ハート形を呈する一体の多機能クリップと成る。
したがって、第２の実施形態の多機能クリップは、上下方向の２面に紙を綴じることができる。
【００１４】
本発明の多機能クリップの第３の実施形態を図面に基づいて、以下に説明する。
図９の斜視図に示すように、第３の実施形態の多機能クリップは、弾性力のある変形可能な適宜長さの２枚の薄板帯状の素材プレート１から形成され、図１０の側面図に示すように素材プレート１の両端に平行する第１折り目３を形成して所定長さの端部折曲片４を形成し、さらに前記第１折り目３から前記端部折曲片４より長く前記第１折り目３と平行する第２折り目５を形成して挟持面部６を形成する。
そして、前記素材プレート１を左右対称に重ね合わせ、図１１の（ａ）正面図、（ｂ）背面図に示すように上下部に間隔を空けて２個の鳩目８等の固定部品で両素材プレート１を一体に固定し、図１０に示すように前記各素材プレート１の前記端部折曲片４及び挟持面部６を前記第１折り目３及び前記第２折り目５に沿ってそれぞれ内側に折り曲げする。
こうすることによって、折り曲げられた挟持面部６同士が内奥で一線状Ａに当接し、かつ前記端部折曲片４はそれぞれの素材プレート１の内面に面状Ｂに当接して安定し、上下方向の２面に前記挟持面部６を有するクリップと成る。
すなわち、素材プレート１を内側に２回折り曲げることにより上下方向の２面に断面形状が略ハート形を呈し、鳩目８間の中央に挟み部９を備えた多機能クリップと成る。
したがって、第３の実施形態の多機能クリップは、上下方向の２面に紙を綴じることができるし、中央の挟み部９には鉛筆等の棒状物品を挟むことができる。
また、前記挟み部９に同一の多機能クリップを挟むことにより、上下左右に略ハート形を呈する十字状の多機能クリップを形成することができる。
なお、図１１（ａ）に示すように、第２折り目５部分にＶ状の切欠き１０を形成することにより、前記切欠き１０中にペン等を差し込むことが可能となる。
【００１５】
本発明の多機能クリップの第４の実施形態を図面に基づいて、以下に説明する。
図１２の斜視図に示すように、第４の実施形態の多機能クリップは、弾性力のある変形可能な適宜長さの１枚の薄板帯状の素材プレート１から形成され、図１３の側面図に示すように前記素材プレート１の中央部から２つに折り曲げ、両素材プレート１の両端に平行する第１折り目３を形成して端部折曲片４を形成し、さらに前記第１折り目３から前記端部折曲片４より長く前記第１折り目３と平行する第２折り目５を形成して挟持面部６を形成する。
そして、図１４の正面図に示すように中央となる位置で鳩目８等の固定部品で両素材プレート１を一体に固定して、図１３に示すように上方に挿入部１１を形成し、前記各素材プレート１の前記端部折曲片４及び挟持面部６を前記第１折り目３及び前記第２折り目５に沿ってそれぞれ内側に折り曲げする。
なお、図１５（ａ）は平面図、（ｂ）は底面図である。
また、前記素材プレート１の第２折り目５に沿って端部から中心に所定幅で切断し、さらに該切断幅に平行に第１折り目３に向って切断して細幅帯状の挟持片１２を形成し、該挟持片１２を中央で反対側の素材プレート１側に直角に折り曲げ、図１５（ｂ）の底面図に示すように、同様に反対側の素材プレート１にも対称的に細幅帯状の挟持片１２を形成し、該挟持片１２を中央で反対側の素材プレート１側に直角に折り曲げる。
こうすることによって、折り曲げられた挟持面部６同士が内奥で一線状Ａに当接し、かつ前記端部折曲片４はそれぞれの素材プレート１の内面に面状Ｂに当接して安定し、前記挟持面部６を有するクリップと成る。
また、図１３に示すように、前記挟持片１２間には挟み空間Ｄが形成されるので、棒状物品であれば上から多機能クリップで押さえつけることにより、前記挟持片１２が上方に変形し、棒状物品が一線状Ａ部に当接することにより挟持面部６が広がって挟持片１２が初期状態に戻り、棒状物品は挟み空間Ｄ又はＡ上部の三角空間に挟まれて支持される。
したがって、第４の実施形態の多機能クリップは、上方に形成された挿入部１１に指を挿し込み、前記挟み空間Ｄ又はＡ上部の三角空間でスプーン等の食器用具を挟んで使用することができる。
【図面の簡単な説明】
【００１６】
【図１】本発明の多機能クリップの第１の実施形態の斜視図である。
【図２】本発明の多機能クリップの第１の実施形態の側面図である。
【図３】本発明の多機能クリップの第１の実施形態の正面図である。
【図４】本発明の多機能クリップの第１の実施形態の平面図である。
【図５】本発明の多機能クリップの第２の実施形態の斜視図である。
【図６】本発明の多機能クリップの第２の実施形態の側面図である。
【図７】本発明の多機能クリップの第２の実施形態の正面図である。
【図８】本発明の多機能クリップの第２の実施形態の平面図である。
【図９】本発明の多機能クリップの第３の実施形態の斜視図である。
【図１０】本発明の多機能クリップの第３の実施形態の側面図である。
【図１１】本発明の多機能クリップの第３の実施形態の（ａ）正面図、（ｂ）背面図である。
【図１２】本発明の多機能クリップの第４の実施形態の斜視図である。
【図１３】本発明の多機能クリップの第４の実施形態の側面図である。
【図１４】本発明の多機能クリップの第４の実施形態の正面図である。
【図１５】本発明の多機能クリップの第４の実施形態の（ａ）平面図、（ｂ）底面図である。
【符号の説明】
【００１７】
１  素材プレート
２  嘴状部
３  第１折り目
４  端部折曲片
５  第２折り目
６  挟持面部
７  穴孔
８  鳩目
９  挟み部
１０  切欠き
１１  挿入部
１２  挟持片
【要約】
【課題】  本発明は、クリップの挟持力を増強すると共にカード類、書類、封筒、写真、履き物等の多種多様な物品を挟み止めする、多くの用途に使用することができる多機能クリップを得ることを目的とする。
【解決手段】  本発明の多機能クリップは、弾性力のある変形可能な適宜長さの２枚の薄板帯状の素材プレート１から形成され、該素材プレート１の一方端を台形状にカットして嘴状部２を形成し、前記素材プレート１を左右対称に重ね合わせ、前記嘴状部２の底辺となる位置で鳩目８等の固定部品で両素材プレート１を一体に固定し、前記各素材プレート１の端部折曲片４及び挟持面部６を第１折り目３及び第２折り目５に沿ってそれぞれ内側に２回折り曲げることにより断面形状が略ハート形を呈する。
【選択図】  図１
【図１】
0003707789.tif 000002
【図２】
0003707789.tif 000003
【図３】
0003707789.tif 000004
【図４】
0003707789.tif 000005
【図５】
0003707789.tif 000006
【図６】
0003707789.tif 000007
【図７】
0003707789.tif 000008
【図８】
0003707789.tif 000009
【図９】
0003707789.tif 000010
【図１０】
0003707789.tif 000011
【図１１】
0003707789.tif 000012
【図１２】
0003707789.tif 000013
【図１３】
0003707789.tif 000014
【図１４】
0003707789.tif 000015
【図１５】
0003707789.tif 000016